(57)【特許請求の範囲】
【請求項１】
イジェクトボタンによりコネクタ本体の突出軸部に回動孔を介して枢着されたイジェクトレバーを動作させて挿入されたカードを取り出すためのイジェクト機構を有するカード用コネクタにおいて、
前記コネクタ本体を電子機器の基板側に取り付けるための金具片を少なくとも２個有し、その一方の金具片を、前記コネクタ本体の左右の延設フレームの一方側で前記イジェクトボタンの連設ロッド片が進退する端面側に装着して当該連設ロッド片と直接又は間接的に導通させると共に、他方の金具片を、前記コネクタ本体の左右の延設フレームの他方側に装着したことを特徴とするカード用コネクタ。
【発明の詳細な説明】
【技術分野】
【０００１】
本発明は、カードドライブ装置などに用いられるカード用コネクタに係り、特に操作時の静電気放電による悪影響を効果的に防止するようにしたものに関するものである。
【背景技術】
【０００２】
カードドライブ装置などに用いられるカード用コネクタとしては、例えば図１０に示した如きものが既に提案されている。
このカード用コネクタの場合、コネクタ本体１０の底部のベース部１１には、多数のコンタクト（接触子）２０が植設されると共に、その左右の端部から２本の延設フレーム１２Ａ，１２Ｂが延びている。この延設フレーム１２Ａ，１２Ｂ間の内側には、溝１３，１３が設けてあって、これらの間にカードＣが挿入され、カード内蔵のコンタクト（図示省略）がベース部１１のコンタクト２０に接続されるようになっている。
【０００３】
そして、この挿入されたカードＣの取り出しは、イジェクトボタン３０、その連設ロッド片３１，イジェクトレバー４０などからなるイジェクト機構Ｅによって行われるようになっている。
【０００４】
イジェクトボタン３０の連設ロッド片３１は、一方の延設フレーム１２Ａ側の内部に進退可能に装着されると共に、そのフリー状態時（無荷重時）には、延設フレーム１２Ａの端面側との間に介装されたコイルスプリングなどの弾性体３２によって押し戻されるようになっており、また、その先端は、上記イジェクトレバー４０の一端とリンク接続されている。
【０００５】
このイジェクトレバー４０は、図１１に示すように、その途中に穿設された回動孔４１をコネクタ本体１０のベース部１１に形成された突出軸部１１０に嵌め込み、この後、突出軸部１１０を加熱し、拡径させて鍔部１１１を作って止めている。所謂熱カシメを行っている。
【０００６】
したがって、イジェクトボタン３０を、弾性体３２の弾性力に抗して、押圧すれば、連設ロッド片３１を介して、イジェクトレバー４０が突出軸部１１０を中心にして回動し、図１０中、イジェクトレバー４０の左端の押圧片４２が、カードＣを押圧するため、カードＣは押し戻され、イジェクトされる。
【０００７】
一方、このコネクタ本体１０は、カードドライブ装置などの内部に装着された基板（図示省略）に半田付けなどで取り付けるわけであるが、その取り付け用の金具片５０は、コネクタ本体１０の２本の延設フレーム１２Ａ，１２Ｂの基端部寄りで、イジェクトレバー４０とは反対側部分（裏側）のほぼ対称となる２箇所に設けていた。
【発明の開示】
【発明が解決しようとする課題】
【０００８】
しかしながら、上記のような構造のカード用コネクタでは、次のような問題点があった。（１）先ず、イジェクトレバー４０をコネクタ本体１０の突出軸部１１０に軸着する際、所謂熱カシメ工程が必要で面倒であった。つまり、加熱工程が必要とされ、工数の増加を招いていた。まこ、この熱カシメの場合、保持力にバラツキが生じ易く、さらに、十分な強度の確保が難しく、使用中に破損するなどの恐れがあった。
【０００９】
（２）そこで、このような熱カシメによる欠点を解消するものとして、既に図１２〜図１３に示すような構造のものが提案されている（特許文献１）。この方法によると、面倒な加熱工程が不要となると同時に、ワンタッチ操作で、イジェクトレバー４０Ａ，４０Ｂをコネクタ本体１００の突出軸部１２０，１３３に装着することができる。しかしながら、この構造の場合にあっても、その製造自体が結構面倒であり、また、やはり十分な保持力が確保できないという問題があった。
【特許文献１】特開平８−２０３６０６号
【００１０】
というのは、図１２〜図１３の場合、コネクタ本体１０の突出軸部１２０，１３０自体が特異な形状であって、これに対応して、イジェクトレバー４０Ａ，４０Ｂ側の回動孔４１Ａ，４１Ｂも特異な形状とする必要があり、その製造自体が結構面倒であった。そして、また、図１２の突出軸部１２０では、軸径の約半分の部分からなる山型のテーパー状係止部１２１が形成され、しかも、この極めて狭小な先端部分だけで、イジェクトレバー４０Ａを保持するものであるため、十分な保持力が得られない構造であった。図１３の突出軸部１３０でも、軸径の約四分の一の部分からなる鍔状押さ部１３１だけで、イジェクトレバー４０Ｂを保持するものであるため、やはり十分な保持力が得られない構造であった。
【００１１】
（３）また、上記図１０のコネクタでは、コネクタ本体１０の取り付け用の金具片５０，５０が、２本の延設フレーム１２Ａ，１２Ｂの基端部寄りのほぼ対称する２箇所に設けてあるため、特にイジェクト機構Ｅの組み込まれた延設フレーム１２Ａ側では、強度が低下するという問題と、イジェクト機構Ｅの連設ロッド片３１とイジェクトレバー４０とは、通常金属製であるため、イジェクト機構Ｅの使用時、放電が起こるという問題があった。
【００１２】
つまり、延設フレーム１２Ａ側では、内部に連設ロッド片３１が通れると共に、その基端部寄りにあっては、連設ロッド片３１とイジェクトレバー４０とのリンク接続部があるため、その分のスペースが、延設フレーム１２Ａの表面側から切り取られる一方、イジェクトレバー４０とは反対側部分（裏側）には、上記金具片５０が埋め込み設置されるので、延設フレーム１２Ａの基端部寄りの強度の低下が避けられないという問題もあった。
【００１３】
さらに、この延設フレーム１２Ａ部分では、イジェクト機構Ｅの連設ロッド片３１もイジェクトレバー４０も通常金属製であるため、イジェクトボタン３０の操作時、使用者側に静電気が帯電していると、この静電気が金属製の連設ロッド片３１からイジェクトレバー４０側に導かれ、このイジェクトレバー４０を介して、コネクタ本体１０のコンタクト２０側やカードＣ自体の側に放電されるという問題もあった。
【００１４】
本発明は、このような問題点を解消するためになされたもので、特にコネクタ本体の取り付け用の金具片の装着位置に改良を加えて、操作時の静電気放電による悪影響を効果的に防止するようにしたカード用コネクタを提供せんとするものである。
【課題を解決するための手段】
【００１５】
請求項１記載の本発明は、イジェクトボタンによりコネクタ本体の突出軸部に回動孔を介して枢着されたイジェクトレバーを動作させて挿入されたカードを取り出すためのイジェクト機構を有するカード用コネクタにおいて、
前記コネクタ本体を電子機器の基板側に取り付けるための金具片を少なくとも２個有し、その一方の金具片を、前記コネクタ本体の左右の延設フレームの一方側で前記イジェクトボタンの連設ロッド片が進退する端面側に装着して当該連設ロッド片と直接又は間接的に導通させる共に、他方の金具片を、前記コネクタ本体の左右の延設フレームの他方側に装着したことを特徴とするカード用コネクタにある。
【発明の効果】
【００１６】
本発明のカード用コネクタによにと、コネクタ本体のイジェクト機構が組み込まれた側の延設フレームの端面部分に、基板などへの取り付け用の金具片を装着するようにすると、イジェクトボタンの操作時における静電気放電による悪影響を効果的に防止することができる。さらに、この延設フレームの基端部寄りの金具片分の装着スペースが不要となるため、この部分を樹脂充実部とすることができ、結果として、延設フレームの基端部寄りの強度を大幅に強化することが可能となる。
【発明を実施するための最良の形態】
【００１７】
図１〜図９は、本発明に係るカード用コネクタの一例を示したもので、基本的には、上記図１０に示したコネクタとほぼ同構造であるが、イジェクトレバー４０Ｃの取り付け構造と、コネクタ本体の取り付け用の金具片５０の装着位置に工夫が施してある。したがって、本発明のコネクタにおいて、図１０のコネクタと同一構成部分には同一符号を付してある。
【００１８】
本発明のイジェクトレバー４０Ｃは、単なる丸穴からなる回動孔４１を有して、コネクタ本体１０のベース部１１に形成された丸軸状の突出軸部１４０に嵌め込まれる点では、上記図１０のコネクタと同構造であるものの、コネクタ本体１０との当接面側で、かつ回動孔４１を挟んだ長手方向側の２箇所（１箇所、３箇所以上も可）には、図５及び図７から明らかなように、立設基部４３ａとこの立設基部４３ａから水平方向に延出された先端フック部４３ｂを有する係止脚片４３Ａ，４３Ｂが、打抜き曲げ加工などの簡単な方法で形成されている。
【００１９】
さらに、本発明のイジェクトレバー４０Ｃでは、コネクタ本体１０との当接面側で、かつ回動孔４１を挟んだ幅方向の縁部側の１箇所（２箇所なども可）には、図６及び図７から明らかなように、立設基部４３ａとこの立設基部４３ａから水平方向に延出された先端フック部４３ｂを有する係止脚片４３Ｃが、打抜き曲げ加工などの簡単な方法で形成されている。
【００２０】
なお、このイジェクトレバー４０ＣのカードＣを押圧するため押圧片４２とは反対側の端部には、図７に示すように、イジェクトボタン３０の連設ロッド片３１とリンク接続される折り曲げ状のフック部４４が設けてある。
【００２１】
一方、コネクタ本体１０の突出軸部１４０の周辺のベース部１１部分には、後述するように、上記イジェクトレバー４０Ｃを突出軸部１４０に枢着する際、回動させるわけであるが、そのとき、係止脚片４３Ａ，４３Ｂが邪魔にならないように、図５、図７及び図８から明らかなように、先ず、この係止脚片４３Ａ，４３Ｂに対応させて、これらの立設基部４３ａ，４３ａ用の逃げ切欠部１４，１４を設けると共に、この逃げ切欠部１４，１４の突出軸部１４０と対向する側の壁面部分には、係止脚片４３Ａ，４３Ｂの先端フック部４３ｂ，４３ｂが摺接係合される係合部１５，１５が、突出する形で形成してある。
【００２２】
また、コネクタ本体１０の突出軸部１４０から連続したベース部１１部分の縁部側には、図６、図７及び図８から明らかなように、上記係止脚片４３Ｃに対応させて、この係止脚片４３Ｃの先端フック部４３ｂが摺接係合される係合部１６が、突出する形で形成してある。ここで、係合部１６の大きさを、図８から明らかなように、縁部側の約半分の大きさとして、図中左側に切欠スペースを設けたのは、係止脚片４３Ａ，４３Ｂの場合と同様、イジェクトレバー４０Ｃの枢着時、係止脚片４３Ｃが邪魔にならないように、逃げ切欠部１７としたからである。なお、この係止脚片４３Ｃの場合、本例のように係止脚片４３Ａ，４３Ｂと併用するときには、逃げ切欠部１７が必要とされるものの、単独で設けた場合には、特に必要とされず、省略することも可能である。
【００２３】
上記コネクタ本体１０のベース部１１の図１中の右端部寄りのイジェクトレバー４０Ｃとの当接面の一部には、このイジェクトレバー４０Ｃの揺動を規制ストッパー突起部１８が設けてある。
【００２４】
さらに、このコネクタ本体１０では、基板側への半田付けなどによる取り付け用の金具片５０，５０が２個あって（２個以上も可）、その１つは、延設フレーム１２Ｂ側でその基端部寄りに装着する一方、他方は、延設フレーム１２Ａ側で、図１及び図９に示すように、その上端面部分に装着してある。
【００２５】
そして、上記延設フレーム１２Ａ側の金具片５０には、その固着面側に例えば貫通孔５１（切欠部なども可）を設け、この貫通孔５１に通されたイジェクト機構Ｅの連設ロッド片３１や連設ロッド片３１に介装されたコイルスプリングなどの弾性体３２とは、常時又はイジェクトボタン３０の操作時などに適宜当接して、接触導通されるようになっている。また、金具片５０の一部から延出片を延ばし、この延出片が連設ロッド片３１や弾性体３２側に当接するようにして、接触導通させるようにしてもよい。この延設フレーム１２Ａ側の金具片５０は、また、図２に示すように、基板２００側の接合部２１０を通じて、アースされるようになっている。なお、延設フレーム１２Ｂ側の金具片５０は、図２中の下側の接合部２１０に接合させるようになっている。
【００２６】
しかして、上記のような構成において、本発明のイジェクトレバー４０Ｃを、コネクタ本体１０の突出軸部１４０へ枢着する際には、先ず、このイジェクトレバー４０Ｃを、例えば図１の鎖線で示す、Ｘ１位置の状態（本来の正規な装着位置から大きくずれた状態）で、その回動孔４１をコネクタ本体１０の突出軸部１４０に嵌め込む。このとき、イジェクトレバー４０Ｃのずれ角度にもよるが、係止脚片４３Ａ，４３Ｂは、コネクタ本体１０のベース部１１の外側に位置し、係止脚片４３Ｃは、逃げ切欠部１７の部分に位置するため、何ら支障なく、嵌め込むことができる。
【００２７】
この状態から、イジェクトレバー４０Ｃの突出軸部１４０との枢着部分が浮き上がらないように押さえつつ、図１中の右端側を少々持ち上げる形で、図中Ｙ方向（反時計方向）に回動させて、上記ストッパー突起部１８を載り越えさせ、図１の鎖線で示すＸ2 位置や実線で示すＸ3 位置部分まで回す。なお、ここで、Ｘ2 〜Ｘ3 の移動範囲は、イジェクトレバー４０Ｃの本来の正規な装着位置における揺動範囲である。
【００２８】
上記の位置まで、イジェクトレバー４０Ｃを回すと、その際、図５に示すように、係止脚片４３Ａ，４３Ｂの立設基部４３ａ，４３ａがコネクタ本体１０側の逃げ切欠部１４，１４内に入り込み、その先端フック部４３ｂ，４３ｂが係合部１５，１５の底面側に摺接係合される。また、係止脚片４３Ｃは逃げ切欠部１７部分から、その先端フック部４３ｂが係合部１６に外側から挟持する形で、摺接係合される。さらに、イジェクトレバー４０Ｃの図１中の連設ロッド片３１とのリンク接続部側の動きは、上記ストッパー突起部１８と延設フレーム１２Ａ側のの段部１２ａとの間で規制される。
【００２９】
この係合状態では、各係止脚片４３Ａ，４３Ｂ，４３Ｃの各先端フック部４３ｂ，４３ｂ，４３ｂがコネクタ本体１０側の各係合部１５，１５，１６によって押さえられる形となるため、イジェクトレバー４０Ｃは、大きな保持力を持って保持され、容易に外れる恐れのない安定した枢着状態が得られる。
また、各係止脚片４３Ａ，４３Ｂ，４３Ｃ自体、及び各係合部１５，１５，１６自体の強度も十分な強度を有するものであるため、全体としては、容易に破損する恐れのない大きな強度が得られる。
【００３０】
なお、イジェクトレバー４０Ｃの枢着を解除するには、上記枢着時とは逆に、イジェクトレバー４０Ｃのリンク接続部側を少々持ち上げる形で、時計方向に回動させれば、容易に解除することができる。
【００３１】
さらに、本発明のコネクタ本体１０の場合、図２に示すように、基板２００側の接合部２１０，２１０には、その取り付け用の金具片５０，５０（下方側の金具片は図示省略）によって、半田付けなどで取り付けられる。このとき、特に延設フレーム１２Ａ側の金具片５０は、その上端面部分に装着されていて、しかも、基板２００を通じて接地されているため、イジェクトボタン３０の操作時、使用者側に静電気が帯電していて、この静電気が金属製の連設ロッド片３１側に通電されても、直ちに金具片５０から接地される。したがって、静電気がイジェクトレバー４０側に通電されることが殆どなくなり、コネクタ本体１０のコンタクト２０側やカードＣ自体の側への放電は、効果的に防止されるようになる。
【００３２】
また、延設フレーム１２Ａ側の金具片５０を、その上端面部分に移動させることは、図１０のコネクタ本体１０において、この延設フレーム１２Ａの基端部寄り埋め込み設置されていた金具片分の装着スペースをなくして、樹脂充実部とすることができるため、延設フレーム１２Ａの基端部寄りの強度を大幅に強化することが可能となる。
【図面の簡単な説明】
【００３３】
【図１】本発明に係るカード用コネクタの要部を示した平面図である。
【図２】図１の右方向からの側面図である。
【図３】図１の前方からの背面図である。
【図４】図１の手前からの正面図である。
【図５】図１のカード用コネクタにおけるイジェクトレバーの係止脚片とコネクタ本体側の係合部との摺接係合状態を示した縦断面図である。
【図６】図１のカード用コネクタにおけるイジェクトレバーの係止脚片とコネクタ本体側の係合部との摺接係合状態を示した縦断面図である。
【図７】図１のカード用コネクタにおけるイジェクトレバーとコネクタ本体側のベース部を示した側面図である。
【図８】図１のカード用コネクタにおいて、イジェクトレバーを取り外した状態のコネクタ本体を示した部分拡大平面図である。
【図９】図１のカード用コネクタにおける一方側の延設フレームと取り付け用の金具片を示した部分拡大斜視図である。
【図１０】従来のカード用コネクタの要部を示した平面図である。
【図１１】従来のカード用コネクタにおけるイジェクトレバーの回動孔とコネクタ本体の突出軸部との枢着状態を示した部分拡大縦断面図である。
【図１２】従来のカード用コネクタにおける別のイジェクトレバーの回動孔とコネクタ本体の突出軸部との枢着状態を示した部分拡大縦断面図である。
【図１３】従来のカード用コネクタにおける別のイジェクトレバーの回動孔とコネクタ本体の突出軸部との枢着状態を示した部分拡大縦断面図である。
【符号の説明】
【００３４】
１０                        コネクタ本体
１１                        ベース部
１２Ａ，１２Ｂ              延設フレーム
１４                        逃げ切欠部
１５                        係合部
１６                        係合部
１７                        逃げ切欠部
１８                        ストッパー突起部
２０                        コンタクト
３０                        イジェクトボタン
３１                        連設ロッド片
４０Ｃ                      イジェクトレバー
４１                        回動孔
４３Ａ〜４３Ｃ              係止脚片
４３ａ                      立設基部
４３ｂ                      先端フック部
４４                        フック部
５０                        金具片
１４０                      突出軸部
２００                      基板
２１０                      接合部
Ｅ                          イジェクト機構
【図１】
0004042987.tif 000002
【図２】
0004042987.tif 000003
【図３】
0004042987.tif 000004
【図４】
0004042987.tif 000005
【図５】
0004042987.tif 000006
【図６】
0004042987.tif 000007
【図７】
0004042987.tif 000008
【図８】
0004042987.tif 000009
【図９】
0004042987.tif 000010
【図１０】
0004042987.tif 000011
【図１１】
0004042987.tif 000012
【図１２】
0004042987.tif 000013
【図１３】
0004042987.tif 000014